(57)【要約】【課題】軟膏類を調剤する際に、チューブ形容器に入っている軟膏類を作業能率よく、軟膏素材を無駄にすることなく、容器に向けて押し出す。【解決手段】軟膏類Mの入ったチューブ形容器５の底部５ｃを切断しておいて、そのチューブ形容器５の頭部の口金開口５ａにシリンダー１の連通管３を挿入する。ピストン２を前進駆動して、空気溜空間１ａ内の空気を口金開口５ａ経由でチューブ形容器５内に圧入する。切断されて開放状態になっている底部５ｃから、チューブ形容器５に入っている軟膏類Mを容器６に押し出して回収する。【選択図】図６
2005103310.tif 000002
【特許請求の範囲】
【請求項１】
軟膏類Ｍを収容した状態で、軟膏類用チューブ形容器５の低部５ｃを開放状態になるように切断する低部切断工程と、
上記軟膏類用チューブ形容器５の頭部の口金開口５ａに対し、請求項２記載の軟膏類の押出し装置の連通管３を挿入して、上記軟膏類の押出し装置の空気溜空間１ａ内の空気を該口金開口５ａ経由で、軟膏類Ｍを収容した状態で、低部５ｃが開放状態になるように切断された軟膏類用チューブ形容器５内に圧入し、該軟膏類用チューブ形容器内の軟膏類Ｍを該チューブ形容器５の、切断されて開放状態の低部５ｃから該チューブ形容器の外部に押し出す軟膏類押出し工程と、
上記軟膏類用チューブ形容器５から押し出された軟膏類Ｍを軟膏類混合用の薬剤容器６に回収する軟膏類回収工程と
を含んでいる軟膏類の押出し方法。
【請求項２】
軟膏類押出し用空気が溜られる空気溜空間１ａを有するシリンダー１と、
上記シリンダー１内に前進後退可能に挿入され、ピストンヘッド２ａの周辺部が該シリンダーの内周面に摺接し、前進方向の該シリンダー内に上記空気溜空間１ａを画成するピストン２と、
上記シリンダー１の上記空気溜空間１ａの前方閉鎖端１ｂから該シリンダーの軸方向沿いに突設され、該シリンダーの外部にある軟膏類Ｍを収容した状態で低部５ｃが切断された軟膏類用チューブ形容器５の頭部の口金開口５ａと該空気溜空間１ａとを連通する連通管３と
が備えられている軟膏類の押出し装置。
【請求項３】
上記連通管３には、該連通管３の外周面に対し、内周面が着脱可能に密着して外嵌する連結部４Ａと、該連結管部に連成され、該連結管３の管経とは異なる管経を有し、軟膏類Ｍを収容した状態で低部５ｃが切断された軟膏類用チューブ形容器５の頭部の口金開口５ａに対して挿入可能な筒状体に形成され、該連結管３を該口金開口５ａに対し連通可能にする挿入部４Ｂとから成る挿入具４がさらに備えられている請求項２記載の軟膏類の押出し装置。
【請求項４】
上記ピストン２には、上記シリンダー１の空気溜空間１ａに臨むピストンヘッド２ａの先端部に配置された先端部吸気開口２ｄと、該シリンダーの外部に臨み、手指により押圧駆動される該ピストンの後端部２ｃに、手指による押圧駆動時に該手指により閉塞可能に配置された後端部吸気開口２ｅと、該ピストンの軸方向に延在し、該先端部吸気開口２ｄと該後端部吸気開口２ｅとの間を連通する吸気連通管２ｆとがさらに備えられている請求項２記載の軟膏類の押出し装置。
【請求項５】
上記軟膏類押出し工程は、上記軟膏類用チューブ形容器５の頭部の口金開口５ａに対し、請求項４記載の軟膏類の押出し装置の連通管３を挿入して、上記軟膏類の押出し装置の空気溜容空間１ａ内の空気を該口金開口５ａ経由で、軟膏類Ｍを収容した状態で、低部５ｃが開放状態になるように切断された軟膏類用チューブ形容器５内に圧入する際に、上記ピストン２の後端部２ｃに配置された後端部吸気開口２ｅを手指により閉塞して、該ピストン２の後端部２ｃを押圧駆動し、該ピストン２を前進させる軟膏類押出し工程である請求項１記載の軟膏類の押出し方法。
【請求項６】
請求項４記載の軟膏類の押出し装置の連通管３を上記軟膏類用チューブ形容器５の頭部の口金開口５ａから離脱させ、上記空気溜容空間１ａ内に該連通管３経由で空気を吸入する際に、上記ピストン２の後端部吸気開口２ｅを手指により閉塞することなしに、該ピストンを引張駆動し、該ピストン２を後退させるピストン後退復帰工程をさらに含んでいる請求項５記載の軟膏類の押出し方法。
【発明の詳細な説明】
【技術分野】
【０００１】
この発明は、薬局などにおいて、医薬品の製剤の一形態である軟膏、軟膏基剤、その他の軟膏類Ｍの２種類以上を混合することで、軟膏を調剤する際に、既製の軟膏類用チューブ形容器に収容されいる軟膏類Ｍを該チューブ形容器外に押し出して、乳鉢や軟膏板などの薬剤容器に回収するための軟膏類の押出し方法及びその方法の実施に直接使用する軟膏類の押出し装置に関するものである。
【背景技術】
【０００２】
薬局などでは、１又は２種類以上の既製の軟膏を乳鉢や軟膏板などの薬剤容器内に導入して、それらを混練することで、混合軟膏を調剤することが盛んに行われている。従前のこうした混合軟膏の調剤作業では、既製の複数の軟膏類用チューブ形容器の1つ1つを手の指先で押圧圧縮して捻じ曲げながら、該チューブ形容器の頭部の口金開口から、該容器内に収容されている軟膏類Ｍを押し出して薬剤容器に導入する必要があった。ここで必要とされる指先による押出し操作には、手間がかかるので、調剤作業の観点から非能率であったし、該指先による押出し操作では、該チューブ形容器から該軟膏類Ｍのすべてを残留付着物なしに押し出すのは困難であるので、軟膏素材利用の観点から非効率でもあった。
【発明の開示】
【発明が解決しようとする課題】
【０００３】
従前のこうした軟膏類Ｍにおける調剤作業の観点からの非能率さと、軟膏素材利用の観点から非効率さという問題点を解消し、調剤作業の観点からも能率がよく、軟膏素材利用の観点からも効率のよい優れた軟膏類の押出し方法及びその方法の実施に直接使用する軟膏類の押出し装置を提供することがこの発明の課題である。
【課題を解決するための手段】
【０００４】
上記の課題を解決するために、請求項１−６記載の発明は、軟膏類Ｍを収容した状態で低部５ｃが切断された軟膏類用チューブ形容器５の頭部の口金開口５ａから、シリンダー１の空気溜空間１ａ内の空気をピストン２の押圧前進駆動により連結管３経由で該チューブ形容器内に圧入し、該チューブ形容器内の軟膏類Ｍを該切断されて開放状態の低部５ｃから押し出す構成としたことにより、上記の問題点の解消された優れた軟膏類の押出し方法と装置を提供するものである。
【０００５】
請求項１記載の方法の発明の構成では、図４に示されるように、低部切断工程により、軟膏類Ｍを収容した状態で、軟膏類用チューブ形容器５の低部５ｃを開放状態になるように切断し、軟膏類押出し工程により、図６に示されるように、上記軟膏類用チューブ形容器５の頭部の口金開口５ａに対し、請求項２記載の軟膏類の押出し装置の連通管３を挿入して、上記軟膏類の押出し装置の空気溜空間１ａ内の空気を該口金開口５ａ経由で、軟膏類Ｍを収容した状態で、低部５ｃが開放状態になるように切断された軟膏類用チューブ形容器５内に圧入し、該軟膏類用チューブ形容器内の軟膏類Ｍを該チューブ形容器の、切断されて開放状態になっている低部５ｃから該チューブ形容器の外部に押し出し、軟膏類回収工程により、図７に示されるように、上記軟膏類用チューブ形容器５から押し出された軟膏類Ｍを軟膏類混合用の薬剤容器６に回収するものである。
【０００６】
請求項２記載の発明の構成は、上記請求項１記載の方法の発明の実施に際し、直接使用する装置を指向しており、図２に示されるように、シリンダー１が軟膏類押出し用空気溜空間１ａを有し、ピストン２が上記シリンダー１内に前進後退可能に挿入され、ピストンヘッド２ａの周辺部が該シリンダーの内周面に摺接して、前進方向の該シリンダー内に上記空気溜空間１ａを画成し、連結管３が、上記シリンダー１の上記空気溜空間１ａの前方閉鎖端１ｂから該シリンダーの軸方向沿いに突設され、該シリンダー１の外部にある軟膏類Ｍを収容した状態で低部５ｃが切断された軟膏類用チューブ形容器５の頭部の口金開口５ａと該空気溜空間１ａとを連通するものである。
【０００７】
請求項３記載の発明の構成は、上記請求項２記載の装置の発明の付加的構成を指向しており、図２に示されるように、上記連通管３に、挿入金具４が付設されており、該挿入金具４の連結部４Ａは、該連通管３の外周面に対し、内周面が着脱可能に密着して外嵌し、該挿入金具の挿入部４Ｂは、該連結部に連成され、該連結管３の管経とは異なる管経を有し、軟膏類Ｍを収容した状態で低部５ｃが切断された軟膏類用チューブ形容器５の頭部の口金開口５ａに対して挿入可能な筒状体に形成され、該連結管３が該口金開口５ａに対し連通可能になっているものである。
【０００８】
請求項４記載の発明の構成は、上記請求項２記載の発明のピストン２に関する内在的構成を指向しており、図２に示されるように、先端部吸気開口２ｄが上記シリンダー１の空気溜空間１ａに臨むピストンヘッド２ａの先端部に配置され、後端部吸気開口２ｅが該シリンダー１の外部に臨み、手指により押圧駆動される該ピストンの後端部２ｃに、手指による押圧駆動時に該指により閉塞可能に配置されていて、吸気連通管２ｆが該ピストンの軸方向に延在し、該ピストンの先端部吸気開口２ｄと該ピストン後端部吸気開口２ｅとの間を連通しているものである。
【０００９】
請求項５記載の方法の発明の構成は、上記請求項１記載の発明の軟膏類押出し工程に関する内在的構成（工程）を指向しており、図６に示されるように、上記軟膏類押出し工程の最中に、上記軟膏類用チューブ形容器５の頭部の口金開口５ａに対し、請求項４記載の軟膏類の押出し装置の連通管３を挿入して、上記軟膏類の押出し装置の空気溜容空間１ａ内の空気を該口金開口５ａ経由で、軟膏類Ｍを収容した状態で、低部５ｃが開放状態になるように切断された軟膏類用チューブ形容器５内に圧入する際に、上記ピストン２の後端部２ｃに配置された後端部吸気開口２ｅを手指により閉塞して、該ピストン２の後端部２ｃを押圧駆動し、該ピストン２を前進させて軟膏類Ｍを薬剤容器に向けて押し出すものである。
【００１０】
請求項６記載の方法の発明の構成は、上記請求項５記載の方法の発明の付加的構成（工程）を指向しており、図８に示されるように、ピストン後退復帰工程により、請求項４記載の軟膏類の押出し装置の連通管３を上記軟膏類用チューブ形容器５の頭部の口金開口５ａから離脱させ、上記空気溜容空間１ａ内に該連通管３経由で空気を吸入する際に、上記ピストン２の後端部吸気開口２ｅを手指により閉塞することなしに、該ピストンを引張駆動し、該ピストン２を後退させるものである。
【発明の効果】
【００１１】
請求項１−６記載の発明は、軟膏類Ｍを収容した状態で低部５ｃが切断された軟膏類用チューブ形容器５の頭部の口金開口５ａから、シリンダー１の空気溜空間１ａ内の空気をピストン２の押圧前進駆動により連結管３経由で該チューブ形容器５内に圧入し、該チューブ形容器内の軟膏類Ｍを該切断されて開放状態になっている低部５ｃから押し出す構成としたことにより、ピストン２の1挙の押圧前進駆動操作だけで、軟膏類用チューブ形容器５に収容されている軟膏類Ｍが広く開放された該チューブ形容器５の低部５ｃから薬剤容器６に向けて「スポン」と押し出されるので、複数の軟膏類用チューブ形容器５の1つ1つを指先で押圧圧縮して捻じ曲げながら、該チューブ形容器５の頭部の狭められた口金開口５ａから、該容器５内に収容されている軟膏類Ｍを徐々に押し出して薬剤容器６に導入するという手間のかかる作業が不要になり、その結果、調剤作業の観点からの能率が格段に改善されるという優れた効果が奏されるばかりか、ピストン２の1挙の押圧前進駆動操作により、該チューブ形容器５の広く開放された低部５ｃから薬剤容器６に向けて軟膏類Ｍが押し出される際に、該チューブ形容器５の内部に該軟膏類Ｍの一部が残留付着物として残ることがないので、軟膏素材利用の観点からの効率も格段に改善されるという優れた効果が奏される。
【００１２】
請求項３記載の発明によれば、シリンダー１の前方閉塞端１ｂに突設された連結管３の管経とは異なる管経の筒状の挿入部４Ｂを軟膏類用チューブ容器５の頭部の口金開口５ａに挿入できるような挿入金具４が該連通管３に対し、着脱可能に外嵌する構成としたことにより、１台の軟膏類の押出し装置を異なる口径の種々の軟膏類用チューブ形容器５に対して適用することができるので、設備費用の軽減が図れるとよいう付随的効果が奏される。
【００１３】
請求項４記載の発明によれば、シリンダー1内の空気溜空間１ａに臨むピストンヘッド２ａの先端部吸気開口２ｄと手指により押圧前進駆動ないしい引張後退駆動されるピストン後端部２ｃの後端部吸気開口２ｅとの間を吸気連通管２ｆで連通する構成としたことにより、該ピストンの押圧前進駆動時には、手指で該後端部吸気開口２ｅを閉塞するようにして、該空気溜１ａ内の空気を軟膏用チューブ形容器５内に圧入するような請求項５記載の発明の軟膏類押出し工程の実施が容易化され、該ピストンの引張後退駆動時には、手指で該後端部吸気開口２ｅを閉塞することなしに、該空気溜１ａ内に空気を吸引するようにして請求項６記載のピストン後退復帰工程の実施が容易化されるという付随的項か奏される。
【発明を実施するための最良の形態】
【００１４】
請求項１−６記載の格別の発明を実施するための最良の形態を説明すれば、以下の通りである。
【実施例１】
【００１５】
図１は、請求項２、３、４記載の発明の軟膏類の押出し装置の１実施例の構成を示す側面図であり、図２は、同側面断面図である。
図１、図２において、半透明樹脂製の円筒状中空のシリンダー１には、円筒状の周辺部が該シリンダー１の内周面に密着して摺接するピストンヘッド２ａを有するピストン２が前進後退可能に挿入されており、前進方向の該シリンダー１内に空気溜空間１ａを画成している。上記シリンダー１の前方閉塞端１ｂには、該シリンダー１の軸方向沿いに一体的に連通管３が突設されており、該連通管３は、該シリンダー３の外部に配置され、軟膏類Ｍの収容された状態下で低部５ｃが切断された軟膏類用チューブ形容器５の頭部の口金開口５ａに対して挿入されることで、上記空気溜空間１ａが口金開口５ａに対して連通可能である。上記ピストンヘッド２ａには、後退方向の上記シリンダー１内中で該シリンダーと中心軸を共通にする断面十字形のピストン駆動部材２ｂが植設されて、該中心軸沿いに延在しており、該ピストン駆動部材２ｂの後退方向の後端部２ｃが、手指Ｈによる押圧前進駆動ないし引張後退駆動に好適な形状に仕上げられていて、全体としてピストン２を形成している。上記ピストンヘッド２ａの先端部には、上記シリンダー１の空気溜空間１ａに臨んで、先端部吸気開口２ｄが配置され、上記ピストン１の後端部２ｃの中心軸上には、後端部吸気開口２eが配置され、該先端部吸気開口２ｄと該後端部吸気開口２eと間には、上記ピストン駆動部材２ｂの中心軸沿いに吸気連通管２ｆが延在している。上記シリンダー１の前方閉塞端１ｂに突設された連通管３には、該連通管３の外周面に対し連結部４Ａが着脱可能に外嵌されており、該連結部４Ａの内周面が該連通管３の外周面に密着している。上記連結部４Ａには、上記連通管３の管経とは異なる管経を有し筒状体に形成された挿入部４Ｂが一体的に連成されており、該挿入部４は、軟膏類Ｍを収容した状態下で低部５ｃが切断されて開放されている軟膏用チューブ形容器５の口金開口５ａ対して挿入可能であり、該連結部４Ａと該挿入部４Ｂは、全体として挿入具４を構成している。
【００１６】
上記軟膏用チューブ形容器５は、公知効用のもので、例えば、図３の斜視図に示されるように、可塑性の金属薄板製チューブ体５ｂ内に軟膏類Ｍが収容され、低部５ｃが密封されており、頭部には、筒状の口金５ｄが固設され、該口金の円筒中心部には、口金開口５ａが穿設されており、該口金に螺合する蓋５ｅを外した状態では、該チューブ体５ｂ内の軟膏類Ｍが、手指による該チューブ体５ｂの押圧、巻込み操作で、該口金開口５ａから押し出される。
【実施例２】
【００１７】
図４、図５、図６、図７、図８は、請求項１、５、６記載の発明の軟膏類の押出し方法の１実施例の構成を示す斜視説明図である。
図４に示される低部切断工程では、軟膏類Ｍを収容した状態下で、軟膏類用チューブ形容器５の低部５ｃを挟みなどの切断具７により切断することで、該チューブ形容器５の低部５ｃを開放状態にする。次いで、図５、図６に示される軟膏類押出し工程では、上記軟膏類チューブ形容器５の頭部の口金開口５ａに対し、上記軟膏類の押出し装置の連通管３を挿入して、上記シリンダー１の空気溜空間１ａ内の空気を該口金開口５ａ経由で、軟膏類Ｍが収容されていて低部５ｃが開放状態になるように切断された軟膏類用チューブ形容器５内に圧入する。すると、上記軟膏類用チューブ形容器５の軟膏類Ｍが、切断されて開放状態になっている該容器５の低部５ｃから押し出されてゆく。この場合、図６に示されるように、請求項４記載の軟膏類の押出し装置を直接使用する軟膏類押出し工程では、上記軟膏類の押出し装置の連通管３を上記軟膏類チューブ形容器５の口金開口５ａに対し挿入して、上記空気溜空間１ａ内の空気を該チューブ形容器５に圧入する際に、上記ピストン駆動部材２ｂの後端部２ｃに配置されている後端部吸気開口２ｅに手指を当接して、該吸気開口２ｅを閉塞しながら、上記ピストン２を押圧前進駆動することで、該空気溜空間１ａ内の空気を圧搾する。
【００１８】
続いて、図７に示される軟膏類回収工程では、圧搾された空気が口金開口５ａ経由で圧入された軟膏類用チューブ形容器５内の軟膏類Mが低部５ｃ方向に押し寄せられながら、切断されて開放状態になっている低部５ｃから、「スポン」と押し出されるようにして、乳鉢や軟膏板などの薬剤容器に回収される。こうした回収工程までの一連の工程が複数種類の軟膏薬に対して施されてから、回収後の複数種類の軟膏類Ｍが混合、混練されることで、軟膏類Ｍの調剤が、調剤作業の観点から能率的に、かつ、軟膏素材利用の観点から、効率的に行われる。
【００１９】
この場合、請求項４記載の軟膏類の押出し装置を直接使用する軟膏類回収工程に対してさらに付加的に後続するピストン後退復帰工程では、上記軟膏類の押出し装置の連通管３を上記軟膏類用チューブ形容器５の口金開口５ａから離脱させて、上記シリンダー１の空気溜空間１ａ内に空気を吸引することで、別の軟膏類用チューブ形容器５についての軟膏類押出し工程に備える際に、図８に示されるように、上記ピストン２の後端部吸気開口２ｅを手指により閉塞しないで、該後端部吸気開口２ｅを開放状態にしたまま、該ピストン２を後退方向に引張駆動することで、該後端部吸気開口５ａから吸気連通管２ｆ経由で該空気溜空間１ａ内への空気の吸引を自在に行いながら、該ピストンを円滑に引張駆動することができる。
【産業上の利用可能性】
【００２０】
以上のように、請求項１−６記載の発明は、複数種類の軟膏類Ｍを混合、混練して調剤する際に、調剤作業の観点からの能率と、軟膏素材利用の観点からの効率とが格段に改善されるような軟膏類の押出し方法及びその方法の実施に直接使用する軟膏類押出し装置を提供するものであるので、産業上の利用可能性が絶大である。
【図面の簡単な説明】
【００２１】
図１−図３は、請求項２、３、４記載の発明の軟膏類の押出し装置の１実施例の構成を示す。
【図１】側面図
【図２】側面断面図
【図３】軟膏類用チューブ形容器の斜視図    図４−図８は、請求項１、５、６記載の発明の軟膏類の押出し方法の１実施例の構成を示す。
【図４】低部切断工程の斜視説明図
【図５】軟膏類押出し工程の斜視説明図
【図６】軟膏類押出し工程の斜視説明図
【図７】軟膏類回収工程の斜視説明図
【図８】ピストン後退復帰工程の斜視説明図
【符号の説明】
【００２２】
１      シリンダー
１ａ    空気溜空間
２      ピストン
２ａ    ピストンヘッド
２ｂ    ピストン駆動部材
２ｃ    後端部吸気開口
２ｄ    先端部吸気開口
２ｅ    吸気連通管
３      連通管
４      挿入具
４Ａ    連結部
４Ｂ    挿入部
５      軟膏類用チューブ形容器
５ａ    口金開口
５ｂ    チューブ体
５ｃ    軟膏類用チューブ形容器の低部
６      薬剤容器
Ｍ      軟膏類
Ｈ      手指
【図１】
2005103310.tif 000003
【図２】
2005103310.tif 000004
【図３】
2005103310.tif 000005
【図４】
2005103310.tif 000006
【図５】
2005103310.tif 000007
【図６】
2005103310.tif 000008
【図７】
2005103310.tif 000009
【図８】
2005103310.tif 000010